(57)【要約】      （修正有）【課題】指輪の回動を所定の位置で停止できるようにすると共に固定状態として、指輪の装着時にきっちりと装着できて、且つ、その装着を容易にできる指輪を提供する。【解決手段】２つの半環状のリング部材１、２を回動自在に連結して形成する指輪であり、一の半環状のリング部材２の回動する連結部に二又状部２０を有し、他の半環状のリング部材１の回動する連結部に基部状部１０を有して軸支するものであって、二又状部の内側両表面と、基部状部の外側両表面とを接面として回動自在に軸支し、二又状部の内側両表面に凹部を形成し、基部状部の外側両表面に凸部を形成する。【選択図】図１
0003232290.tif 000002
【実用新案登録請求の範囲】
【請求項１】
２つの半環状のリング部材(１)、(２)を回動自在に連結して形成する指輪であって、
一の半環状のリング部材（２）の回動する連結部は二又状に形成し、他の半環状のリング部材（１）の回動する連結部は基部状に形成し、
該連結部で軸支して回動自在に連結するものであって、
二又状の二又状部（２０）の内側両表面と、基部状の基部状部（１０）の外側両表面とを接面として回動自在に軸支するものであり、
二又状部（２０）の内側両表面に凹部（２２）を形成し、基部状部（１０）の外側両表面に凸部（１１）を形成することによって、該凹凸を嵌め込んで装着することを特徴とする指輪。
【請求項２】
２つの半環状のリング部材(１)、(２)を回動自在に連結して形成する指輪であって、
一の半環状のリング部材（２）の回動する連結部は二又状に形成し、他の半環状のリング部材（１）の回動する連結部は基部状に形成し、
該連結部で軸支して回動自在に連結するものであって、
二又状の二又状部（２０）の内側両表面と、基部状の基部状部（１０）の外側両表面とを接面として回動自在に軸支するものであり、
二又状部（２０）の内側両表面に凸部(２１)を形成し、基部状の基部状部（１０）の外側両表面に凹部（１２）を形成することによって、該凹凸を嵌め込んで装着することを特徴とする指輪。
【請求項３】
二又状部（２０）の内側両表面の凹部（２２）が該内側両表面の中央部を軸心として該位置から放射状外周部に形成した凹部（２２）であり、
基部状部（１０）の外側両表面の凸部（１１）が該外側両表面の中央部を軸心として該位置から放射状外周部に形成した凸部（１１）であり、
両者は軸心から同じ距離の位置の外周部に形成したものであることを特徴とする請求項１記載の指輪。
【請求項４】
二又状部（２０）の内側両表面の凸部(２１)が該内側両表面の中央部を軸心として該位置から放射状外周部の位置に形成した凸部(２１)であり、
基部状部（１０）の外側両表面の凹部（１２）が該外側両表面の中央部を軸心として該位置から放射状外周部の位置に形成した凹部（１２）であり、
両者は軸心から同じ距離の位置の外周部に形成したものであることを特徴とする請求項２記載の指輪。
【請求項５】
二又状部（２０）の内側両表面の凹部（２２）が該内側両表面の中央部を軸心として該位置から放射状外周部であって周方向に形成した複数又は多数の凹部（２２）であり、
基部状部（１０）の外側両表面の凸部（１１）が該外側両表面の中央部を軸心として該位置から放射状外周部であって周方向に形成した複数又は多数の凸部（１１）であり、
両者は軸心から同じ距離の位置の外周部に形成したものであることを特徴とする請求項３記載の指輪。
【請求項６】
二又状部（２０）の内側両表面の凸部(２１)が該内側両表面の中央部を軸心として該位置から放射状外周部であって周方向に形成した複数或いは多数の凸部(２１)であり、
基部状部（１０）の外側両表面の凹部（１２）が該外側両表面の中央部を軸心として該位置から放射状外周部であって周方向に形成した複数或いは多数の凹部（１２）であり、
両者は軸心から同じ距離の位置の外周部に形成したものであることを特徴とする請求項４記載の指輪。
【請求項７】
凹部が半球状の凹部であり、凸部が半球状の凸部であることを特徴とする請求項１乃至６のいずれかに記載の指輪。
【請求項８】
凹部が弧状の凹部であり、凸部が弧状の凸部であることを特徴とする請求項１乃至６のいずれかに記載の指輪。
【請求項９】
凹部が線状の凹部であり、凸部が線状の凸部であることを特徴とする請求項１乃至６のいずれかに記載の指輪。
【請求項１０】
線状の凹部が断面略三角形状の傾斜面を有する凹部であり、線状の凸部が断面略三角形状の傾斜面を有する凸部であることを特徴とする請求項９に記載の指輪。
【考案の詳細な説明】
【技術分野】
【０００１】
本考案は、指輪に関し、指輪のリングが開閉自在となる指輪に関する。
【背景技術】
【０００２】
従来より、指輪に関してはリング状の環状形状よりなり、輪郭部と輪郭によって形作られた穴の部分に指を差し入れて使用するものである。
更に環状の指輪を二つに分解し半環状のリング部材を二つ用い、この両者間を軸着して開閉自在に指輪を形成したものがある。
この場合、二つに分割して半環状のリング部材同士をその一端部を軸着することによって形作るものとなる。
しかしこの軸着部分に関して、軸支の程度を高めると開閉自在の回動を行うことができず、反面軸支の程度を弱めると一定の一位置で開閉状態を止めることができず、環状の指輪が開いてしまい、指に装着することができなくなる。
従って指輪として機能しなくなる。
【０００３】
これに対して例えば螺合により両リング部材同士を螺子止めし、又開く際には螺子を緩めるなどの作業により指への着脱を開閉によって行うこともできる。
しかしこれでは指輪の装着又は脱着に際してドライバーなどでその度毎に螺子を閉め或いは緩める行為をしなければならず、極めて煩雑となり実用性に欠けるものとなる。
これに対して実用新案登録第３１９３７２４号（特許文献１)に示す指輪が存在する。
この指輪は、軸着部に一対の金属薄板をその両面に配設し、更にこの金属薄板の一面を膨出されてアール面を形成し、このアール面同士を当接させることによって圧接させて形成するものである。
【０００４】
この圧接によって指輪の軸支が一定の負荷をもって行え、指輪のリング部材の開閉を行えるものとしている。
更に特開２０１７-１３６２２３号(特許文献２)に示す指輪の止着開閉指輪の製造方法も存在する。
これは、前記構造に関して、変形膨出面同士の膨出側を当接させて金属板同士に負荷を与え、リング部材の圧接面で圧設させると共に軸着ピンを加締めることで変形膨出面同士の当接部位の圧接力を高めて指輪の閉じた状態を維持できる開閉指輪の製造方法が示されている。
【先行技術文献】
【特許文献】
【０００５】
【特許文献１】実用新案登録第３１９３７２４号
【特許文献２】特開２０１７-１３６２２３号
【考案の概要】
【考案が解決しようとする課題】
【０００６】
以上の様に、半環状のリング部材を用いて、それぞれの半環状のリング部材をその一端で回動自在に連結し、指輪として環状のリングとなし、又その回動自在の連結部分でリングを開閉するリングは指輪として用いられてきている。
この場合指輪状態即ち指にはめることのできるリング状の状態での維持を図るために該連結部に一対の金属薄板をその両面に配設し、更にこの金属薄板の一面を膨出されてアール面を形成し、このアール面同士を当接させることによって圧接することによって環状状態を維持することのできる構成を特許文献１では示している。
しかし、アール面を形成してこのアール面同士を当接して圧接するためにはこの状態でアール面同士を強く密着させることが必要となる。
【０００７】
この状態を半環状のリング部材同士を指にはめてリング状にする際にこの密着を図ることが必要であり、リング装着時に係る密着を図ることはなかなかできないものである。        
【０００８】
これに対して初めからきつく両者を圧接しておくと、指輪装着時の半環状リング部材同士の輪状へ閉じるのに際して極めて大きな力で作動させることが必要となる。
更にはこの可動式で開閉するリングの指への装着と脱着とを交互に行うと両者間の圧接が徐々に緩和され、リングの指への装着状態の維持が難しくなってしまう。
【０００９】
次に特許文献２においても同様な欠点を有するものであり、指輪の装脱着を行うことによって、半環状のリング部材同士が不用意に開いてしまう程度緩く連結されてしまうこととなる。
従って半環状のリング部材を回動自在に連結して形成する指輪に関して、半環状のリング部材同士の連結部が一定の状態即ちリングが閉じて指にはめることのできる状態を維持できると共にその状態からリング部材同士を開いて指から容易に取り外せる状態へリング部材同士の開閉を行え、かつ不用意にこのリング部材同士が不用意に開閉しない指輪の提供が望まれるものである。
【課題を解決するための手段】
【００１０】
以上のように係る課題を見事に解決するため、請求項１に係る考案は２つの半環状のリング部材を回動自在に連結して形成する指輪であって、一の半環状のリング部材の回動する連結部は二又状に形成し、他の半環状のリング部材の回動する連結部は基部状に形成し、該連結部で軸支して回動自在に連結するものであって、二又状の二又状部の内側両表面と基部状の基部状部の外側両表面とを接面として回動自在に軸支するものであり、二又状部の内側両表面に凹部を形成し、基部状部の外側両表面に凸部を形成することによって、該凹凸を嵌め込む指輪であり、係る考案によって前記課題を解決できる。
【００１１】
更に請求項２に係る考案は２つの半環状のリング部材を回動自在に連結して形成する指輪であって、一の半環状のリング部材の回動する連結部は二又状に形成し、他の半環状のリング部材の回動する連結部は基部状に形成し、該連結部で軸支して回動自在に連結するものであって、二又状の二又状部の内側両表面と基部状の基部状部の外側両表面とを接面として回動自在に軸支するものであり、二又状部の内側両表面に凸部を形成し、基部状部の外側両表面に凹部を形成することによって、該凹凸を嵌め込むものである指輪からなり係る考案を用いても前記課題を解決できる。
【００１２】
更に請求項３に係る考案は二又状部の内側両表面の凹部が該内側両表面の中央部を軸心として該位置から放射状外周部に形成した凹部であり、基部状部の外側両表面の凸部が該外側両表面の中央部を軸心として該位置から放射状外周部に形成した凸部であり、両者は軸心から同じ距離の位置の外周部に形成した指輪であり、係る考案を用いてもよい。
或いは請求項４に係る考案は二又状部の内側両表面の凸部が該内側両表面の中央部を軸心として該位置から放射状外周部の位置に形成した凸部であり、基部状部の外側両表面の凹部が該外側両表面の中央部を軸心として該位置から放射状外周部の位置に形成した凹部であり、両者は軸心から同じ距離の位置の外周部に形成した指輪であって係る考案を用いてもよい。
【００１３】
また、請求項５に係る考案のように二又状部の内側両表面の凹部が該内側両表面の中央部を軸心として該位置から放射状外周部であって周方向に形成した複数又は多数の凹部であり、基部状部の外側両表面の凸部が該外側両表面の中央部を軸心として該位置から放射状外周部であって周方向に形成した複数又は多数の凸部であり、両者は軸心から同じ距離の位置の外周部に形成した指輪を用いてもよい。
或いは請求項６に係る考案のように二又状部の内側両表面の凸部が該内側両表面の中央部を軸心として該位置から放射状外周部であって周方向に形成した複数或いは多数の凸部であり、基部状部の外側両表面の凹部が該外側両表面の中央部を軸心として該位置から放射状外周部であって周方向に形成した複数或いは多数の凹部であり、両者は軸心から同じ距離の位置の外周部に形成した指輪を用いてもよい。
【００１４】
これらの場合請求項７に係る考案のように凹部が半球状の凹部であり、凸部が半球状の凸部である指輪を用いても、請求項８に係る考案のように凹部が弧状の凹部であり、凸部が弧状の凸部である指輪を用いてもよい。
更に請求項９に係る考案のように凹部が線状の凹部であり、凸部が線状の凸部である指輪を用いてもよい。
この場合請求項１０に係る考案のように線状の凹部が断面略三角形状の傾斜面を有する凹部であり、線状の凸部が断面略三角形状の傾斜面を有する凸部である指輪を用いてもよい。
【考案の効果】
【００１５】
以上のように構成したことから、まず請求項１に係る考案によって２つの半環状のリング部材によって指輪が形成され、一のリング部材の二又状の連結部と、他のリング部材の基部状の連結部材との部分を軸支して回動自在に形成して開閉する指輪を形成できる。
従って開いた状態と閉じた状態とを表出でき、開いた状態で指にはめることができ、閉じた状態により指にリングの装着の維持ができる。
更に二又状部の内側両表面に凹部を形成し、基部状部の外側両表面に凸部を形成していることから、両半環状のリング部材の軸部を基点として回動すると該凹凸部が嵌め込まれることとなり、嵌め込んだ位置で固定状態とすることができ、更に力を入れて回動すると該凹凸が外れ回動を容易とすることとなる。
【００１６】
従って任意位置で固定状態とでき、更により力を入れて嵌め込み状態を外すと更なる回動が行えることとなる。
このことから指をはめた状態において、この回動を行うことによって指輪が指にうまく装着している状態の任意近傍で固定状態を作ることができ、指輪の装着状態に維持が行えるものとなる。
次に請求項２に係る考案によって、二又状部の内側両表面に凸部を形成し、基部状部の外側両表面に凹部を形成していることから、請求項１に係る考案と同様に両半環状のリング部材の軸部を基点として回動すると該凹凸部が嵌め込まれることとなり、嵌め込んだ位置で固定状態とすることができ、更に力を入れて回動すると該凹凸が外れ回動を容易とすることとなる。
【００１７】
更に請求項３に係る考案によって、二又状部の内側両表面の凹部が、その中央部から放射状外周部であって周方向に形成した凹部であり、基部状部の外側両表面の凸部が、その中央部から放射状外周部であって周方向に形成した凹部であり、両者は軸心から同じ位置に形成しているので回動に際して凹凸が嵌合することとなる。
従って該凹凸に回動によって嵌め込むことができる。
また更なる回動によって該嵌め込みを外すことができ、更にまた回動することによって再度嵌め込みを行えるものである。
従ってこの回動を順次繰り返せるものとなる。
また同様に請求項４に係る考案によっても同様に回動によって凹凸を嵌め込むことができ、更に回動により外すことができ、更なる回動によって又嵌め込むことができる。
【００１８】
次に請求項５及び６に係る考案は、これらの凹部と凸部とを一つに限らず、周方向に複数又は多数有するものであり、これにより回動に伴い凹部と凸部の嵌め込みと外れを順次複数或いは多数回繰り返すことができる。
従ってより細かい多数の位置で嵌合状態を作り出せるものであり、例えば指輪装着の最も適した位置で凹部と凸部の嵌め込み状態を発生させることができ、より希望する指輪の閉じ状態で装着状態の維持ができるものとなる。
【００１９】
更に請求項７に係る考案により半球状の凹部と半球状の凸部を用いることができ、凹部と凸部の嵌め込みをより滑らかに行えると共にその取り外しもより滑らかに行える。
また請求項８に係る考案によって弧状の凹凸を用いることもでき、各種の応用状態の凹凸を用いることができる。
従って回動を行い、又嵌め込まれた際の固定状態の維持力など任意の形態を各種作ることができるものであって、必要に応じて適切な凹凸を用いることができる。
更に請求項９に係る考案によって線状の凹凸や請求項１０に係る考案によって断面略三角形状の傾斜面を有する凹凸を用いてもよいものである。
従って各種必要に応じて適切な凹部と凸部を用いることができるものである。
【図面の簡単な説明】
【００２０】
【図１】本考案に係る指輪の一例を示す図。
【図２】本考案に係る指輪の一例を示す図。
【図３】本考案に係る指輪の半環状のリング部材の連結部分の一例を示す図。
【図４】本考案に係る指輪の半環状のリング部材の基部状部の表面の一例を示す図。
【図５】図４に示す基部状部を横から視認した一例を示す図。
【図６】本考案に係る指輪の半環状のリング部材の二又状部の一例を示す図。
【図７】図６に示す二又状部の断面図の一例を示す図。
【図８】本考案に係る指輪の半環状のリング部材の基部状部の表面の他の一例を示す図。
【図９】本考案に係る指輪の半環状のリング部材の二又状部の他の一例を示す図。
【図１０】本考案に係る指輪の半環状のリング部材の基部状部の表面の他の一例を示す図。
【図１１】本考案に係る指輪の半環状のリング部材の二又状部の他の一例を示す断面図。
【考案を実施するための形態】
【００２１】
図１は、本考案に係る指輪の一例を示す図である。
本図に示すとおり、半環状のリング部材１、２を２つ連結して略輪状のリングを形成するものであり、半環状のリング部材１、２のそれぞれの一端を回動自在に連結して指輪を形成しているものである。
この回動部分は、一の半環状のリング部材２の回動部が二又状に形成しており、他の半環状のリング部材１が中央部分の基部状に形成しており、両者の中央で軸支しているものである。
本図においてはリング部材２の二又状となっている二又状部２０とリング部材１の基部状となっている基部状部１０とが同軸に軸支されている。
従って該軸支部３を中心として両者は回動可能に形成されている。
このように形成することにより、両者を状態とすると、環状のリング体形状となり、指輪形状となる。
【００２２】
従って指にきっちりと装着できるものとなる。
更に、両者を開いた状態即ち半環状のリング部材１、２の連結していない端部方向を開き、リングの輪を開いた状態とすると、両リング部材１、２間が開くことにより間隔が広くなって指から離れやすくなる。
これによってこの指輪を指から外すことを容易にできる。
これにより、この開閉により指へのこの指輪の装脱着を容易に行えるものとなる。
【００２３】
図２は、両者を開いた状態即ち半環状のリング部材１、２の連結していない端部方向を開き、リングの輪を開いた状態とした一例を示す図である。
本図のように両リング部材間の間が広くなることから指輪を簡単に指から外せる。
このような状態から図１に示すように閉じた状態とすることによって指輪を指にはめられることから、この開いた状態のときに指に近づけて装着できるものであり、指への指輪の装着をより簡単に行える。
特に指輪への装着の場合、指の径と同じか或いは若干細めの指輪を用いる場合が多く、指輪をきっちりと装着する際には一般的には指輪の装着に際して指に力をもって嵌め込むことが多いが、本発明ではこのようなことは不要となり簡単に装着できる。
【００２４】
更に指輪を指から外す際にも力をもってねじりながら力をかけて取り外すなどのことは不要となり、簡単に取り外すことができる。
尚、半環状の両リング部材１、２を開いた状態とした場合には該連結部分のそれぞれが相手に接するものであり、これ以上の開披を行えず、一定の開いた状態までの可動とすることができる。
例えば二又状となっている二又状部２０の外周部分に突起を有するものや角部を形成することによって該部分で相対する他方の半環状のリング部材と接する部分が生じ該部分によってこれ以上の開きを制止できる。
本図では半環状のリング部材２の角部が接してこれ以上の開披を行えない状態としている。
或いは基部状となっている基部状部１０の連結部分に突起を有するものや角部を形成することによって相対する他の半環状のリング部材と接する部分を有し、該部分によってこれ以上の回動を制止するものであってもよい。
【００２５】
図３は、２つの半環状のリング部材１、２が回動自在に連結している連結部分の一例を示す図である。
本図に示すように一の半環状のリング部材２の回動部が二又状に形成しており、他の一方の半環状のリング部材１の回動部が基部状に形成している一例を示す。
【００２６】
両者の二又状部２０と基部状部１０を組み合わせると共に両者間には軸部が軸通しており、該軸部によって回動自在に軸支しているものである。
即ち二又状部２０の内側両表面と基部状部１０の外側両表面とを接面として回動自在に軸支部３によって軸支するものである。
更に、このように形成した半環状のリング部材１、２の回動部の二又状部２０の内側両表面には凹部を有し、基部状部１０の外側両表面には凸部を形成している。
この両者の凹凸部分は、任意に位置で嵌め込まれるものであり、その位置で停止するものである。
従ってこの位置を固定できる。
【００２７】
更に回動することによってこの凹凸部分が外れ回動可能となる。
従って回動部を回動することによって両者の凹凸がはまる部分では固定状態となり、更に力をもって回動することによりこの凹凸が外れ自由回動を行える状態となる。
例えばこの凹凸はそれぞれの軸支部３でもある中央部から放射状に一定の位置に複数又は多数の凹凸を形成することによってその両者の凹凸の放射状の位置を一致させることによって回動に伴い、凹凸の嵌め込まれる位置と外れる位置とが回動に伴い順次に発生させることができる。
このことは指輪の装着位置で凹凸が嵌め込まれてきっちりと指輪の装着ができ、その取り外しに際して回動部を回動させることによって指輪を開いた状態とすることができる。  尚、凹凸は本図では示していない。
【００２８】
図４は、半環状のリング部材１の基部状部１０の両外表面に凸部１１を有している一例を示す図である。
該凸部１１は基部状部１０の中央部を軸心として放射状であってかつ外周部方向である放射状外周部に凸部１１を形成している状態の一例を示す。
更に本図は外周部であって周方向に多数の凸部１１を形成している状態の一例である。
従って中央部の軸支している軸支部３の中央部を軸心として外周方向であって周方向に順次軸心から等距離に多数の凸部１１を形成している。
【００２９】
図５は、図４を横から視認した一例を示す図である。
半環状のリング部材１の基部状部１０の両外周面に凸部１１が形成している例を示す。
本図に示す構成は凸部１１が半球状或いは弧状の凸部を形成している。
このように形成することによって凹部との関係から嵌め込みやすくなると共に回動に伴って嵌め込みから外れやすく形成できる。
但し少なくとも嵌め込まれた状態では不用意に力を加えなければその位置を維持できるものとなる。
例えば指輪を指にきっちりと装着できることとなる。
図６は、半環状のリング部材２の端部を二又状に形成した二又状部２０の内表面に凹部２２を有している一例を示す図である。
該凹部２２は二又状部２０の中央部を軸心として放射状であってかつ外周部方向である放射状外周部に凹部２２を形成している状態の一例を示す。
更に本図は外周部であって周方向に多数の凹部２２を形成している状態の一例である。
【００３０】
従って中央部の軸支している軸支部３の中央部を軸心として外周方向であって周方向に順次軸心から等距離に多数の凹部２２を形成している。
このように形成することにより、図４及び図５に示す半環状のリング部材１、２を回動することにより凸部１１を凹部２２に嵌め込むことができる。
図７は、半環状のリング部材２の二又状に形成した二又状部２０の内表面に凹部２２を有している一例を示す断面図である。
該凹部２２は二又状部２０の中央部から放射状であって外周方向に形成しているものであり、周方向に順次軸心から等距離に多数の凹部２２を形成している。
該凹部２２は凸部１１と同様の軸心となる中央部から等距離に形成しており、両者は軸３を中心にリング部材１、２を回動すると順次嵌合することとなる。
【００３１】
また嵌合した後、更にリング部材１、２を回動すると該嵌合が外れることとなり、次の嵌合に進むこととなる。  従って回動に伴い順次嵌合状態を発生されることでき、任意位置での嵌合を図れる。
尚、本図は周方向に同間隔で凹部２２を形成しているものであり、これと同様にリング部材１の凸部１１も同様に形成しているものである。
この場合凹部２２と凸部１１とは両者が嵌合可能な大きさであればよく、嵌合可能であればよい。
更に凹部２２はその周方向に多数の半球状或いは弧状の凹部２２を有するものであればよい。
尚、図４に示す構成の凸部１１と本図構成の凹部２２とは軸支部３の中心である軸心を一致するものであり、該中心部から同心円状に形成した凹凸が嵌め込まれ、任意位置でその位置を維持できる状態で係止できるものである。
図４乃至図７に示す凹凸に関しては軸支部３の中央である軸心から放射状の外周部に周方向に沿って任意の凹凸を形成しているが、この個数は任意のものでよく、更に周方向に等間隔で全て有していなくとも必要個所に任意数有しているものであればよい。
少なくとも凹部２２と凸部１１は夫々同数か、或いは凹部２２の方が多く形成しているものであればよい。
またこの凹凸は中央部からの放射状位置は凹部凸部共に同じ位置であることが必要である。
【００３２】
次に図８は、半環状のリング部材１の基部状部１１の外表面に凸部ではなく凹部１２を有している一例を示す図である。
このように基部状部１１に凹部１２を有したものでもよい。
この場合には図９に示すように、半環状のリング部材２の二又状部２０に形成した二又の内表面に凸部２１を有しているものであることが必要である。
このように形成することにより凹凸をもって嵌め込むことができる。
このように図４乃至図７のそれぞれのリング部材１、２に形成する凹凸を逆に形成したものでもよい。
【００３３】
図１０は、半球状又は弧状の凹部と凸部に代えて軸支部３の中心部の軸心から放射状位置に向けて線状の凸部或いは凹部を形成するものでもよいことの一例を示す図である。
本図に示す構成は半環状のリング部材１の基部状部１０に形成した凸部１３の一例を示す図である。
この場合に、対応するリング状部材２の凹部２３は線状の凹みを有するものとなる。
この線状の凹部２３と凸部１３は若干の幅を有するものであってももちろんよい。
もとよりこの線状の凹部２３と凸部１３は断面略三角形状の両側が傾斜面を有する凹凸をもって形成するものであってもよい。
この線状の凹部２３と凸部１３は軸心３を中心として回動させると、順次この凹凸の嵌め込み状態と外れ状態を生じさせることができ、嵌め込まれた状態ではきっちりと係止され、該位置に固定されるが、更に力を加えて回動させると嵌め込みが外れることとなる。
従って順次嵌め込みとはずれを生じさせ、所望の位置で嵌め込み状態を生じさせられるものである。
【００３４】
尚、図１１は、図１０の凸部１３に合致する、半環状のリング部材２の二又状部２０の内表面に凹部２３を有している一例を示す断面図である。
このように構成することにより線状の凹部と凸部とをもって形成するものであってもよい。
もとよりこの場合も個数は任意の個数を有すればよく、凹凸の数は同数か或いは少なくとも凸部１３より凹部２３が多いものであることが望ましい。
更に軸心からの放射線状の外周位置までの長さは一致するか或いは凹部２３の方が長いものであることが必要である。
又は凹凸の幅に関しても一致するか或いは凹部２３の方がやや幅広のものであってもよい。
尚、凹部２３と凸部１３に関してそれぞれ二又状部２０には凹部２３を有し、基部状部１０の外表面に凸部１３を有するものであるが、これに限らず二又状部２０には凸部を有し、基部状部１０の外表面に凹部を形成するものでもよい。
以上のような構成することにより半環状のリング部材を回動自在に連結して開閉することにより指輪の装脱着を可能とする指輪の提供を行うことができる。
【符号の説明】
【００３５】
１      半環状のリング部材
１０    基部状部
１１    凸部
１２    凹部
１３    凸部
２      半環状のリング部材
２０    二又状部
２１    凸部
２２    凹部
２３    凹部
３      軸支部
【図１】
0003232290.tif 000003
【図２】
0003232290.tif 000004
【図３】
0003232290.tif 000005
【図４】
0003232290.tif 000006
【図５】
0003232290.tif 000007
【図６】
0003232290.tif 000008
【図７】
0003232290.tif 000009
【図８】
0003232290.tif 000010
【図９】
0003232290.tif 000011
【図１０】
0003232290.tif 000012
【図１１】
0003232290.tif 000013